(57)【要約】【課題】コードの長さの調整が容易にでき、また、イヤホンコードの携帯音響機器への巻き取り、その解除を容易に行い得るイヤホンコードクリップを提供する。【解決手段】イヤホンコードクリップ１０は、クリップ部２０と、クリップ部２０に固定されたコード支持部３０とコード係止部４０とを備えている。クリップ部２０は、閉状態に付勢された開閉自在の一対の挟持用舌片２６を有して構成されている。コード支持部３０は、第１コード２Ｒを緩やかに挿入させる第１コード挿入部３０Ｒと、第２コード２Ｌを緩やかに挿入させる第２コード挿入部３０Ｌとから構成されている。コード係止部４０は、合成樹脂材の表面に前記合成樹脂材を横切るようにして溝部４２が形成され、前記合成樹脂材の弾性を利用して主コード２Ｓ、第１コード２Ｒ、第２コード２Ｌの少なくとも一つを前記溝部４２内に挟持できるように構成されている。【選択図】図１
2013034185.tif 000002
【特許請求の範囲】
【請求項１】
携帯音響機器に接続される主コードが右耳用イヤホンに接続される第１コードと左耳用イヤホンに接続される第２コードに分岐されて構成されるイヤホンコードに取り付けられて用いられるイヤホンコードクリップにおいて、
クリップ部と、前記クリップ部に固定されたコード支持部とコード係止部とを備え、
前記クリップ部は、閉状態に付勢された開閉自在の一対の挟持用舌片を有して構成され、
前記コード支持部は、前記第１コードを緩やかに挿入させる第１コード挿入部と、前記第２コードを緩やかに挿入させる第２コード挿入部とから構成され、
前記コード係止部は、合成樹脂材の表面に前記合成樹脂材を横切るようにして溝部が形成され、前記合成樹脂材の弾性を利用して前記主コード、前記第１コード、および前記第２コードのうち少なくとも一つを前記溝部内に挟持できるように構成されていることを特徴とするイヤホンコードクリップ。
【請求項２】
前記コード支持部は、前記コード係止部と同材料からなる合成樹脂材によって構成されていることを特徴とする請求項１に記載のイヤホンコードクリップ。
【請求項３】
前記コード係止部は、前記主コード、前記第１コード、あるいは前記第２コードのそれぞれを挟持できる３個の溝部が形成されていることを特徴とする請求項１に記載のイヤホンコードクリップ。
【請求項４】
前記第１コード挿入部と前記第２コード挿入部とは異なる色で着色されていることを特徴とする請求項１に記載のイヤホンコードクリップ。
【請求項５】
前記第１コード挿入部と前記第２コード挿入部の少なくとも一方に夜光塗料が塗布されていることを特徴とする請求項１に記載のイヤホンコードクリップ。
【請求項６】
携帯音響機器に接続される主コードが右耳用イヤホンに接続される第１コードと左耳用イヤホンに接続される第２コードに分岐されて構成されるイヤホンコードに取り付けられて用いられるイヤホンコードクリップにおいて、
クリップ部と、前記クリップ部に回転可能に取付けられたコード支持部と、前記クリップ部の一部に形成されたコード係止部とを備え、
前記クリップ部は、閉状態に付勢された開閉自在の一対の挟持用舌片を有して構成され、
前記コード支持部は、その回転平面内に、前記第１コードを緩やかに挿入させるとともに前記右耳用イヤホンを着脱自在に嵌挿させる第１のコード挿入部と、前記第２コードを緩やかに挿入させるとともに前記左耳用イヤホンを着脱自在に嵌挿させる第２のコード挿入部とから構成され、
前記コード係止部は、前記主コード、前記第１コード、および前記第２コードのうち少なくとも一つを挟持できる溝部によって構成されていることを特徴とするイヤホンコードクリップ。
【発明の詳細な説明】
【技術分野】
【０００１】
本発明はイヤホンコードクリップに係り、特に、携帯音響機器に接続される主コードが右耳用イヤホンに接続されるコードと左耳用イヤホンに接続されるコードに分岐されて構成されるイヤホンコードに取り付けられて用いられるイヤホンコードクリップに関する。
【背景技術】
【０００２】
この種のイヤホンコードクリップは、下記特許文献１に開示されるように、イヤホンコードに固定されるたとえばワニ口クリップから構成されている。そして、携帯音響機器を所持する者が、該携帯音響機器からの音楽等をイヤホンで聴く際に、該イヤホンコードクリップを衣服の襟元等に固定させるようになっている。これにより、右耳用イヤホンに接続されるコードと左耳用イヤホンに接続されるコードに充分な弛みをもたせることができ、何らかの動作の際に、これらコードが引っ張られて耳から右耳用イヤホンあるいは左耳用イヤホンが外れてしまうことを防止できるようになっている。
【０００３】
なお、本発明に関連する技術としては、たとえば下記特許文献２および下記特許文献３で開示されるものが知られている。特許文献２は、イヤホンの分岐された各コードに球状のコードホルダーが挿通されて構成され、各コードを１本にまとめ、コードが独立に動くことを防ぎ、コードの絡まりを防止したイヤホンホルダが開示されている。また、特許文献３は、板材の加工からなり、この板材の折り返し部で一つの付勢部を構成し、蛇腹状の山部で他の付勢部を構成したクリップが開示されている。
【先行技術文献】
【特許文献】
【０００４】
【特許文献１】実用新案登録第3134237号公報
【特許文献２】実用新案登録第3105534号公報
【特許文献３】特開2011-33184号公報
【発明の概要】
【発明が解決しようとする課題】
【０００５】
しかし、上述したような携帯音響機器のイヤホンコードにイヤホンコードクリップが取り付けられた構造のものは、イヤホンコードの所定の個所（たとえば、右耳用イヤホンに接続されるコードと左耳用イヤホンに接続されるコードとの分岐部）に固定されていたため、携帯音響機器から前記分岐部までのコードの長さの調整、前記分岐部から右耳用イヤホンに接続されるコードあるいは左耳用イヤホンに接続されるコードの長さの調整が困難となっていた。このことは、イヤホンコードクリップの衣服への固定個所によっては、一方のイヤホンに接続されるコードが他方のイヤホンに接続されるコードに比べて大きく撓んだりし、また、携帯音響機器から前記分岐部までのコードの長さが長すぎる等の不都合が生じていた。
【０００６】
また、右耳用イヤホンと左耳用イヤホンは、それぞれ、“Ｒ”、“Ｌ”の小さな表記しかなく、一見して判別し難くなっている。このため、これらに接続される各コードが互いに捩れ合うことによって、携帯音響機器の夜間の使用では、左耳用イヤホンおよび右耳用イヤホンの判別が困難になるという不都合を有していた。
【０００７】
さらに、携帯音響機器の使用を終えた後は、イヤホンコードを前記イヤホンコードクリップが取り付けられた状態で携帯音響機器に巻き付け、該携帯音響機器をポケットやバックに収納するのが一般的である。この場合、イヤホンコードクリップの存在によって、イヤホンコードの巻き取りが上手に行うことができない不都合が生じていた。また、携帯音響機器の次の使用の際、イヤホンコードの巻き取りを解く場合にも、イヤホンコードがイヤホンコードクリップに絡まったりして、イヤホンコードを解く手間がかかるという不都合が生じていた。
【０００８】
本発明は、このような事情に鑑みてなされたものであり、その目的は、コードの長さの調整が容易にでき、また、左耳用イヤホンおよび右耳用イヤホンの判別が容易に行うことができ、さらに、イヤホンコードの携帯音響機器への巻き取り、その解除を容易に行い得るイヤホンコードクリップを提供することにある。
【課題を解決するための手段】
【０００９】
このような目的を達成するために、本発明は、クリップ部と、前記クリップに固定されたコード支持部とコード係止部とを備えることによってイヤホンコードクリップを構成し、これらクリップ部、コード支持部、コード係止部において上記目的を達成するための工夫が施された構成としたものである。
【００１０】
本発明のイヤホンコードクリップは、以下の構成によって把握される。
（１）本発明のイヤホンコードクリップは、携帯音響機器に接続される主コードが右耳用イヤホンに接続される第１コードと左耳用イヤホンに接続される第２コードに分岐されて構成されるイヤホンコードに取り付けられて用いられるイヤホンコードクリップにおいて、
クリップ部と、前記クリップ部に固定されたコード支持部とコード係止部とを備え、前記クリップ部は、閉状態に付勢された開閉自在の一対の挟持用舌片を有して構成され、前記コード支持部は、前記第１コードを緩やかに挿入させる第１コード挿入部と、前記第２コードを緩やかに挿入させる第２コード挿入部とから構成され、前記コード係止部は、合成樹脂材の表面に前記合成樹脂材を横切るようにして溝部が形成され、前記合成樹脂材の弾性を利用して前記主コード、前記第１コード、および前記第２コードのうち少なくとも一つを前記溝部内に挟持できるように構成されていることを特徴とする。
（２）本発明のイヤホンコードクリップは、（１）の構成において、前記コード支持部は、前記コード係止部と同材料からなる合成樹脂材によって構成されていることを特徴とする。
（３）本発明のイヤホンコードクリップは、（１）の構成において、前記コード係止部は、前記主コード、前記第１コード、あるいは前記第２コードのそれぞれを挟持できる３個の溝部が形成されていることを特徴とする。
（４）本発明のイヤホンコードクリップは、（１）の構成において、前記第１コード挿入部と前記第２コード挿入部とは異なる色で着色されていることを特徴とする。
（５）本発明のイヤホンコードクリップは、（１）の構成において、前記第１コード挿入部と前記第２コード挿入部の少なくとも一方に夜光塗料が塗布されていることを特徴とする請求項１に記載のイヤホンコードクリップ。
（６）本発明のイヤホンコードクリップは、携帯音響機器に接続される主コードが右耳用イヤホンに接続される第１コードと左耳用イヤホンに接続される第２コードに分岐されて構成されるイヤホンコードに取り付けられて用いられるイヤホンコードクリップにおいて、クリップ部と、前記クリップ部に回転可能に取付けられたコード支持部と、前記クリップ部の一部に形成されたコード係止部とを備え、前記クリップ部は、閉状態に付勢された開閉自在の一対の挟持用舌片を有して構成され、前記コード支持部は、その回転平面内に、前記第１コードを緩やかに挿入させるとともに前記右耳用イヤホンを着脱自在に嵌挿させる第１のコード挿入部と、前記第２コードを緩やかに挿入させるとともに前記左耳用イヤホンを着脱自在に嵌挿させる第２のコード挿入部とから構成され、前記コード係止部は、前記主コード、前記第１コード、および前記第２コードのうち少なくとも一つを挟持できる溝部によって構成されていることを特徴とする。
なお、この明細書において、携帯音響機器とは、携帯電話やスマートホンなどの音楽再生機能付携帯電子機器やＭＰ３プレーヤー等を含む概念として用いられる。
【発明の効果】
【００１１】
このように構成されたイヤホンコードクリップによれば、コードの長さの調整が容易にでき、また、左耳用イヤホンおよび右耳用イヤホンの判別が容易に行うことができ、さらに、イヤホンコードの携帯音響機器への巻き取り、その解除を容易に行うことができる。
【図面の簡単な説明】
【００１２】
【図１】本発明のイヤホンコードクリップの実施態様１の構成図で、（ａ）は平面図、（ｂ）は側面図である。
【図２】本発明のイヤホンコードクリップの概略とその使用態様を示す図である。
【図３】図１に示すイヤホンコードクリップのクリップ部の動作を示した側面図である。
【図４】（ａ）ないし（ｃ）は、本発明のイヤホンコードクリップのコード係止部にイヤホンコードが係止される過程を示した図である。
【図５】本発明のイヤホンコードクリップのコード係止部に、主コード、第１コード、第２コードが係止された状態を示す平面図である。
【図６】本発明のイヤホンコードクリップが、携帯音響機器に接続されるイヤホンコードに取り付けられた状態を示す図である。
【図７】本発明のイヤホンコードクリップが携帯音響機器に接続されるイヤホンコードに取り付けられたままで、該イヤホンコードが前記携帯音響機器に巻き取られた状態を示す図で、（ａ）は平面図、（ｂ）は側面図である。
【図８】本発明のイヤホンコードクリップの実施態様２を示す平面図である。
【図９】本発明のイヤホンコードクリップの実施態様２のさらに改良された例を示す図で、（ａ）は平面図、（ｂ）は（ａ）のａ−ａ線における断面図、（ｃ）は（ｂ）に対応する図で、イヤホンコードが侵入する状態を示した図である。
【図１０】本発明の実施態様６のイヤホンコードクリップの構成図であって、正面下方側から観た斜視図である。
【図１１】本発明の実施態様６のイヤホンコードクリップの構成図であって、正面上方側から観た斜視図である。
【図１２】（ａ）は本発明の実施態様６のイヤホンコードクリップの平面図、（ｂ）は（ａ）のｂ−ｂ線における断面図である。
【図１３】本発明の実施態様６のイヤホンコードクリップのクリップ部の軸体に直交し各板材含む面における断面を示した図である。
【図１４】本発明の実施態様６のイヤホンコードクリップの一使用態様を示す説明図である。
【図１５】本発明の実施態様６のイヤホンコードクリップの一使用態様を示す説明図である。
【図１６】本発明の実施態様６のイヤホンコードクリップの一使用態様を示す説明図である。
【図１７】図１５のXVII−XVII線における断面図である。
【図１８】本発明の実施態様６のイヤホンコードクリップの外観を示す図で、（ａ）は正面図、（ｂ）は平面図、（ｃ）は底面図、（ｄ）は左側面図、（ｅ）は右側面図、（ｆ）は背面図である。
【発明を実施するための形態】
【００１３】
以下、添付図面を参照して、本発明を実施するための形態（以下、実施形態）について詳細に説明する。なお、実施形態の説明の全体を通して同じ要素には同じ番号を付している。
（実施形態１）
図１は、本発明のイヤホンコードクリップの実施態様１における構成図で、（ａ）は平面図、（ｂ）は側面図である。
【００１４】
ここで、本発明のイヤホンコードクリップの具体的な構成の説明に先立ち、図２を用いて該イヤホンコードクリップの概略とその使用態様を説明する。図２に示すように、携帯音響機器（図６にて符号４で示す）の所持者１は、該携帯音響機器４に接続されるイヤホンコード２に接続される右耳用イヤホン３Ｒおよび左耳用イヤホン３Ｌのそれぞれを対応する耳内に差し込むことによって、たとえば音楽等を聴いている。イヤホンコード２は、携帯音響機器４にプラグ（図６にて符号５で示す）を介して接続される主コード２Ｓと、この主コード２Ｓからコード結合部（図６にて符号６で示す）によって分岐され右耳用イヤホン３Ｒに接続されるコード（この明細書では第１コードと称する場合がある）２Ｒと左耳用イヤホン３Ｌに接続されるコード（この明細書では第２コードと称する場合がある）２Ｌとを有するようになっている。
【００１５】
第１コード２Ｒおよび第２コード２Ｌのコード結合部６の近傍には、本発明に係るイヤホンコードクリップ１０が取り付けられている。イヤホンコードクリップ１０のイヤホンコード２への取り付けは、イヤホンコードクリップ１０に第１リング部（第１コード挿入部と称する場合がある）３０Ｒと第２リング部（第２コード挿入部と称する場合がある）３０Ｌとが具備され、該第１リング部３０Ｒには第１コード２Ｒが緩やかに挿入され、該第２リング部３０Ｌには第２コード２Ｌが緩やかに挿入されることによってなされている。
【００１６】
また、イヤホンコードクリップ１０はクリップ部２０を有し、このクリップ部２０を携帯音響機器４の所持者１の衣服の襟元等に挟持することによって、イヤホンコードクリップ１０を身体の所定の位置に固定させることができるようになっている。
【００１７】
さらに、イヤホンコードクリップ１０には、コード係止部４０が具備され、このコード係止部４０には、たとえば図２に示すように、イヤホンコード２のうちイヤホンコードクリップ１０の付近の主コード２Ｓを輪にして巻いた後に、該輪の一部をコード係止部４０に係止させるようになっている。これにより、イヤホンコード２のうち主コード２Ｓが比較的長い場合において、主コード２Ｓの弛みを無くすことができ、たとえば歩行中に携帯音響機器４を聴いている場合において、該主コード２Ｓが邪魔になることを回避することができるようになる。同様の操作は、右耳用イヤホン３Ｒに接続される第１コード２Ｒあるいは左耳用イヤホン３Ｌに接続される第２コード２Ｌにおいてもできるようになっている。
【００１８】
図１に示すように、上述したイヤホンコードクリップ１０は、クリップ部２０と、前記クリップ部２０に固定されたリング部（コード支持部と称する場合がある）３０とコード係止部４０とを備えて構成されている。
【００１９】
クリップ部２０は、一方向に延在する比較的厚さの薄い一対の板材２１、２２を重ね合わせ、一端Ａ側の近傍部において各板材２１、２２を軸体２３を介して軸支させるとともに、軸体２３に挿通させたコイルばね２４によって他端Ｂ側の各板材２１、２２を互いに当接させた状態とするように構成されている。軸体２３から一端Ａ側に至る各板材２１、２２は互いに離間するように形成され、この部分の各板材２１、２２は、クリップ部２０を操作する操作部２５として機能するようになっている。この操作部２５を、図１（ｂ）に対応して描いた図３に示すように、互いに近接する方向（図中α方向）に押圧させることによって、軸体２３から他端Ｂ側に至る各板材２１、２２はコイルばね２４のバネ力に抗して互いに離間する方向（図中β方向）に開くようになる。このことから、クリップ部２０は、閉状態に付勢された挟持用舌片２６を有し、この挟持用舌片２６は操作部２５の操作によって開閉自在に構成されることになる。なお、クリップ部２０は、その構成部材である板材２１、２２、軸体２３、コイルばね２４は、たとえば金属で形成されている。しかし、板材２１、２２はたとえば合成樹脂によって構成されていてもよい。
【００２０】
リング部３０は、クリップ部２０の一端Ａと他端Ｂのほぼ中央において該クリップ部２０にたとえば接着して設けられ、クリップ部２０の左右に並設された一対のリング部（この明細書では第１リング部と称する場合がある）３０Ｒとリング部（この明細書では第２リング部と称する場合がある）３０Ｌによって構成されている。第１リング部３０Ｒ、第２リング部３０Ｌは、たとえば比較的柔軟な合成樹脂材から構成されている。このような合成樹脂材としては、ゴム材料として、たとえば、シリコーンゴム、フッ素ゴム、ニトリルゴム、アクリルゴム、ウレタンゴム、エチレンプロピレンゴム、クロロプレンゴム、天然ゴム、イソプレンゴム、スチレンブタジエンゴム、ブタジエンゴム等が、あるいは、熱可塑性エラストマーとして、たとえば、スチレン系、オレフィン系、塩ビ系、ウレタン系、エステル系、アミド系等が選択されて用いられる。第１リング部３０Ｒには右耳用イヤホンコードである前記第１コード２Ｒが緩やかに挿入されるようになっており、第２リング部３０Ｌには左耳用イヤホンコードである前記第２コード２Ｌが緩やかに挿入されるようになっている。この場合、第１リング部３０Ｒ、第２リング部３０Ｌのそれぞれの内径は、右耳用イヤホン３Ｒ、左耳用イヤホン３Ｌの外径よりも若干小さく形成され、柔軟な第１リング部３０Ｒ、第２リング部３０Ｌに、右耳用イヤホン３Ｒ、左耳用イヤホン３Ｌを押し込むことによって、それぞれ、第１コード２Ｒ、第２コード２Ｌを挿入させることができる。この場合、第１リング部３０Ｒ、第２リング部３０Ｌは、それぞれ、クリップ部２０に対してどの位置に配置されているかが明確になることから、第１リング部３０Ｒに挿入されている第１コード２Ｒに接続されるイヤホンが右耳用イヤホン３Ｒであること、および第２リング部３０Ｌに挿入されている第２コード２Ｌに接続されるイヤホンが左耳用イヤホン３Ｌであることが、たとえば暗闇でも、容易に判別することができる効果を奏するようになる。ちなみに、上記特許文献２に示すように、イヤホンの分岐された各コードを一つのコードホルダー（本発明のリング部に相当する）に挿通させ、各コードを１本にまとめた場合、該コードホルダーによって、右耳用イヤホンおよび左耳用イヤホンの判別を容易に行うことは困難となる。
【００２１】
コード係止部４０は、クリップ部２０の他端Ｂ側において該クリップ部２０にたとえば接着されて設けられている。コード係止部４０は、平板状部材４１の表面にたとえば３個の溝部４２を設けることによって構成されている。各溝部４２はたとえばクリップ部２０の一端Ａと他端Ｂを結ぶ線と直交する方向に平行に前記平板状部材４１を横切るようにして形成されている。また、各溝部４２の幅は、イヤホンコード２の直径よりも若干小さく設定されて形成されている。そして、このように構成されるコード係止部４０は、たとえばリング部３０に用いた材料と同一の比較的柔軟な合成樹脂材からなっている。すなわち、上述したように、ゴム材料として、たとえば、シリコーンゴム、フッ素ゴム、ニトリルゴム、アクリルゴム、ウレタンゴム、エチレンプロピレンゴム、クロロプレンゴム、天然ゴム、イソプレンゴム、スチレンブタジエンゴム、ブタジエンゴム等が、あるいは、熱可塑性エラストマーとして、たとえば、スチレン系、オレフィン系、塩ビ系、ウレタン系、エステル系、アミド系等が選択されて用いられる。このため、図４（ａ）、（ｂ）、（ｃ）に示すように、コード係止部４０の溝部４２の一つにたとえば第１コード２Ｒを係止させようとした場合（図４（ａ）参照）、比較的大きな力で第１コード２Ｒを当該溝部４２に押し込めることで該溝部４２の幅は容易に拡がり（図４（ｂ）参照）、第１コード２Ｒが該溝部４２の底部にまで押し込められた状態では、該溝部４２の側壁面が第１コード２Ｒを押圧することになり、第１コード２Ｒは溝部４２から容易に離脱されないようになる（図４（ｃ）参照）。コード係止部４０において、上述したように３個の溝部４２が形成されている場合は、図５に示すように、それぞれの溝部４２にイヤホンコード２の主コード２Ｓ、第１コード２Ｒ、第２コード２Ｌを同時に係止できるようになっている。なお、コード係止部４０から主コード２Ｓ、第１コード２Ｒ、第２コード２Ｌを外す場合は、それら主コード２Ｓ、第１コード２Ｒ、第２コード２Ｌをコード係止部４０から引っ張ることによってコード係止部４０から容易に外れるようになる。イヤホンコード２は、内部に配線が内蔵されたものとして構成されることから、表面から外的な障害が加わった場合に容易に配線が露出して断線を引き起こす場合がある。しかし、上述したコード係止部４０は、比較的柔軟な合成樹脂材から構成され、該合成樹脂材の表面に形成される溝部４２にイヤホンコード２を挟持させる構成としたものである。このため、コード係止部４０は、イヤホンコード２の表面を破損する力が生じにくい構成となっていることから、頻繁な使用においても該イヤホンコード２の断線を回避できる効果を奏する。ちなみに、コード係止部４０を、特許文献３に示すように、板材の加工によって蛇腹状の山部を構成し、この山部からなる付勢部によってイヤホンコードを挟持するようにした場合、該イヤホンコードの係止、取り外しの作業が困難となるとともに、頻繁な使用によってイヤホンコードの断線が生じることは免れ得ないものとなってしまう。
【００２２】
このように構成されたイヤホンコードクリップ１０は、図６に示すように、第１リング部３０Ｒ、第２リング部３０Ｌのそれぞれに、携帯音響機器４にプラグ５を介して接続されるイヤホンコード２の第１コード２Ｒ、第２コード２Ｌを挿入させることによって、使用されるようになっている。この場合、上述したように、第１リング部３０Ｒ、第２リング部３０Ｌのそれぞれの内径は、右耳用イヤホン３Ｒ、左耳用イヤホン３Ｌの外径よりも若干小さく形成されていることから、イヤホンコード２の第１コード２Ｒ、第２コード２Ｌが、それぞれ、第１リング部３０Ｒ、第２リング部３０Ｌの挿入から容易に外れてしまうことを回避することができる。そして、このようにイヤホンコード２にイヤホンコードクリップ１０が取り付けられた携帯音響機器４は、図２に示したように、該イヤホンコードクリップ１０のクリップ部２０を所持者１の衣服の襟元等に挟持させ、右耳および左耳にそれぞれ右耳用イヤホン３Ｒおよび左耳用イヤホン３Ｌを差し込むことによって音楽等を聴くことができるようになっている。
【００２３】
この場合、上述したように、第１リング部３０Ｒ、第２リング部３０Ｌは、それぞれ、クリップ部２０に対してどの位置に配置されているかが明確になることから、第１リング部３０Ｒに挿入されている第１コード２Ｒに接続されるイヤホンが右耳用イヤホン３Ｒであること、および第２リング部３０Ｌに挿入されている第２コード２Ｌに接続されるイヤホンが左耳用イヤホン３Ｌであることが、たとえば暗闇でも、容易に判別することができる効果を奏するようになる。
【００２４】
そして、携帯音響機器のイヤホンコードのうち、たとえば主コード２Ｓが長すぎている場合には、イヤホンコードクリップの近傍にある主コード２Ｓを輪にして巻いた後にコード係止部４０の各溝部４２の一つに係止させることで、該主コード２Ｓの弛みを無くすことができる（図２参照）。また、主コード２Ｓばかりでなく、第１コード２Ｒが長すぎている場合にも、イヤホンコードクリップ１０の近傍にある第１コード２Ｒを輪にして巻いた後にコード係止部４０の各溝部４２の一つに係止させることで、該第１コード２Ｒの弛みを無くすことができる。さらに、第２コード２Ｌが長すぎている場合にも、イヤホンコードクリップ１０の近傍にある第２コード２Ｌを輪にして巻いた後にコード係止部４０の各溝部４２の一つに係止させることで、該第１コード２Ｒの弛みを無くすことができる。図５は、このようにして、コード係止部４０に、主コード２Ｓ、第１コード２Ｒ、および第２コード２Ｌのそれぞれを係止させた状態を示した図となっている。
【００２５】
また、携帯音響機器４の使用を終えた後、イヤホンコード２にイヤホンコードクリップ１０が取り付けられた状態で携帯音響機器４に巻き付け、該携帯音響機器４をポケットやバックに収納する場合がある。この場合、イヤホンコードクリップ１０を右耳用イヤホン３Ｒおよび左耳用イヤホン３Ｌの側に移動させ（図６において矢印Ｐ方向）、その後、図７（ａ）、（ｂ）に示すように、イヤホンコード２の主コード２Ｓ、第１コード２Ｒ、第２コード２Ｌを携帯音響機器４の周りに幾重にも巻き込み、これら巻き込まれたイヤホンコード２をイヤホンコードクリップ１０によって挟持することによって、イヤホンコード２の巻き込みがほぐれないようにすることができる。図７（ａ）は、携帯音響機器４を平面から観た図で、図７（ｂ）は、該携帯音響機器４を側面から観た図である。図７（ｂ）から明かになるように、イヤホンコードクリップ１０は、そのクリップ部が、開閉自在の一対の挟持用舌片２６を有して構成されているため、一方の挟持用舌片２６を携帯音響機器４と巻き込まれたイヤホンコード２との間に侵入させ易く、上述した操作を容易に行うことができる効果を奏する。また、クリップ部２０が、開閉自在の一対の挟持用舌片２６を有して構成したため、クリップ部２０がそれ自体厚さを薄く構成できることから、図７（ａ）、（ｂ）に示した状態で、イヤホンコードクリップ１０による嵩張りによる影響を少なくできる効果を奏する。なお、イヤホンコード２の携帯音響機器４からの巻き取り解除は、イヤホンコードクリップ１０を携帯音響機器４に巻き込まれたイヤホンコード２から外すようにして取り外すことによって、容易におこなうことができる。
【００２６】
以上、説明したことから、実施態様１に示すイヤホンコードクリップ１０によれば、イヤホンコード２の長さの調整が容易にでき、また、左耳用イヤホン３Ｌおよび右耳用イヤホン３Ｒの判別を容易に行うことができ、さらに、イヤホンコード２の携帯音響機器４への巻き取り、その解除を容易に行うことができる。
（実施形態２）
上述した実施態様１では、イヤホンコードクリップ１０のリング部３０をコード係止部４０の材料である合成樹脂材と同一の材料で構成したものとなっている。しかし、これに限ることはなく、リング部３０をたとえば金属で構成してもよいことはいうまでもない。図８は、図１（ａ）と対応づけて描いた図で、リング部３０をたとえばクリップ部２０と一体に形成することによって金属で構成した例を示している。この場合、金属からなるリング部３０は弾力性に乏しいことから、リング部３０の一部にイヤホンコード２の第１コード２Ｒおよび第２コード２Ｌを挿入することのできる切り欠き３２を設けるようにすることが好ましい。この切り欠き３２は、たとえばクリップ部２０の挟持用舌片２６側に近接させて形成することにより、第１コード２Ｒ、第２コード２Ｌの各第１リング部３０Ｒ、第２リング部３０Ｌからの離脱を困難とすることができるようになる。
【００２７】
また、リング部３０を金属で構成した場合、図９に示すように、リング部３０の一部を二重構造からなる重ね部３４を設けることによって上記切り欠き３２を形成せずに済むように構成することができる。図９（ａ）は、図８に対応づけて描いた図で、図９（ｂ）は図９（ａ）のａ−ａ線における断面図である。リング部３０の二重構造となる重ね部３４は、図９（ｃ）に示すように、イヤホンコード２を図中矢印方向へくぐらすことができ、該イヤホンコード２をリング部３０の外側から内側へ移動させてリング部３０内に挿入させることができる。また、このようにした場合、イヤホンコード２のリング部３０からの離脱を困難とすることができる。
【００２８】
なお、この実施態様２では、リング部３０を金属で構成した場合について説明したものであるが、必ずしも金属でなくてもよく、比較的硬質の合成樹脂であってもよいことはもちろんである。
（実施形態３）
上述した実施態様では、いずれも、リング部３０はほぼ同形同大の第１リング部３０Ｒと第２リング部３０Ｌとで構成したものである。しかし、これら第１リング部３０Ｒと第２リング部３０Ｌは外見上において互いに区別できるように構成するようにしてもよい。たとえば、第１リング部３０Ｒと第２リング部３０Ｌの大きさを若干異ならしめたり、あるいは一方の着色を他方の着色と異ならしめたりするようにしてもよい。このようにすることによって、第１リング部３０に挿入されている第１コード２Ｒと接続されるイヤホンが右耳用イヤホン３Ｒであること、第２リング部３０Ｌに挿入されている第２コード２Ｌと接続されるイヤホンが左耳用イヤホン３Ｌであることが容易に判別することができる効果を奏する。また、同様の趣旨から、第１リング部３０Ｒと第２リング部３０Ｌのうち一方のリング部に夜光塗料を塗布するようにしてもよい。この場合、人体への安全面、環境への配慮から蓄光タイプの夜光塗料、特には酸化物系蓄光タイプがより好ましい。このようにした場合、夜間であっても、右耳用イヤホン３Ｒと左耳用イヤホン３Ｌの判別を容易に行えるからである。
（実施形態４）
上述した実施態様では、いずれも、コード係止部４０における溝部４２は３個設けた構成としたものである。しかし、これに限らず、該溝部４２は、１個、２個、あるいは４個以上であってもよい。イヤホンコード２の弛みを防止するのはたとえば主コード２Ｓのみ、あるいは主コード２Ｓと第１コード２Ｒのみでよいということがあるからである。また、溝部４２の数を多くすることによって、コードのそれぞれを弛みなく適切な長さに調整がし易くなるからである。
（実施形態５）
上述した実施態様では、第１コード２Ｒ、第２コード２Ｌをそれぞれ支持する部材として第１リング部３０Ｒ、第２リング部３０Ｌを設けるようにしたものである。しかし、これに限定されることはなく、たとえば板材状のコード支持部をクリップ部２０に固定させ、このコード支持部の異なる個所に２個の孔を設け、これらの孔を、それぞれ、第１コード挿入部、第２コード挿入部として機能させるようにしてもよい。
【００２９】
（実施形態６）
図１０、図１１は、本発明のイヤホンコードクリップの実施形態６を示す構成図で、図１０は該イヤホンコードクリップを正面下方側から観た斜視図、図１１は該イヤホンコードクリップを正面上方側から観た斜視図である。
【００３０】
図１０、図１１において、イヤホンコードクリップ５０には、まず、クリップ部５２が備えられている。このクリップ部５２は、比較的硬質の合成樹脂材によって構成されている。このクリップ部５２は、たとえば携帯音響機器の所持者の衣服の襟元等を挟持することによって、イヤホンコードクリップ５０を身体の所定の位置に固定させることができるようになっている。
【００３１】
クリップ部５２は、一方向に延在する一対の板材５４、５６を重ね合せ、一端Ａ側の近傍部において各板材５４、５６を軸体５８を介して軸支させるとともに、該軸体５８の周りに配置されたＵ字状板ばね（図１３にて符号６２で示す）によって他端Ｂ側の各板材５４、５６を常時において互いに当接させた状態に付勢させるように構成されている。図１３は、該クリップ部５２の前記軸体５８に直交し前記各板材５４、５６を含む面における断面を示した図であり、Ｕ字状板ばね６２は、その屈曲部６２Ｓを除く外方側の面６２Ａ、６２Ｂが、それぞれ、板材５４、５６に当接して配置されている。図１３の場合、Ｕ字状板ばね６２の面６２Ａは板材５４に接着され、Ｕ字状板ばね６２の面６２Ｂの先端は板材５６に形成された孔に挿入されている。
【００３２】
クリップ部５２は、一端Ａ側の各板材５４、５６を互いに近接する方向に押圧することにより、Ｕ字状板ばね６２の付勢力（Ｕ字状板ばね６２の面６２Ａ、６２Ｂが近接する方向の付勢力）に抗して他端Ｂ側の各板材５４、５６が互いに離間する方向に開くようになっており、この他端Ｂ側の各板材５４、５６は、たとえば衣服の襟元等に挟持させることができるようになっている。なお、他端Ｂ側の各板材５４、５６の互いに対向する面には、これら各板材５４、５６の延在方向に沿って複数の突部６０が並設されて設けられ、これら突起部６０は、該クリップ部５２を衣服の襟元等に挟持させた場合において滑り止めとしての機能を有するようになっている。
【００３３】
クリップ部５２の板材５４には、板材５６と反対側の前記軸体５８の近傍の面において、後述する人形体７０を支持する支持体６４が形成されている。この支持体６４の上面には回転軸体６６が嵌合されている。回転軸体６６は、図１３に示すように、一端に鍔部６６Ａを有する小径部６６Ｂが支持体６４の上面に設けられた凹陥部６４Ａに嵌合されることによって、前記支持体６４上において図中矢印Ｍ方向に回転可能に支持されている。また、このように支持体６４に支持される回転軸体６６の他端は、中心軸と直交する断面が非対称に形成され、後述する人形体７０に形成された孔（図示せず）に嵌合し固定されるようになっている。
【００３４】
人形体７０は、たとえば、比較的軟質な弾性を有する合成樹脂材から構成されている。人形体７０は、たとえば、手足を広げ、クリップ部５２に対して伏臥位の形態で形成され、該人形体７０の胸に形成された前記孔（図示せず）に回転軸体６６の他端が嵌合し固定されるようになっている。この人形体７０は、イヤホンコードクリップ５０の意匠上の観点から備えられたものである。このため、該人形体７０に代え、たとえば動物等の他の形態物であってもよい。
【００３５】
また、人形体７０は、図１１に示すように、その背中に、第１のコード挿入部７２と第２のコード挿入部７４とが一体となって形成されたものとなっている。このため、第１のコード挿入部７２と第２のコード挿入部７４においても、たとえば、比較的軟質な弾性を有する合成樹脂材から構成されている。第１のコード挿入部７２と第２のコード挿入部７４は、図１２（ａ）に示すように、比較的大きな厚さを有する枠体部７１に二つの透孔７２Ａ、７４Ａが並設されることによって構成されている。そして、たとえば透孔７２Ａは、図１２（ａ）のｂ−ｂ線の断面図である図１２（ｂ）に示すように、枠体部７１の上面（人形体７０と反対側の面）から下面にかけて椀状に抉られた凹陥部７２ａが該枠体部７１の下面に形成された孔７２ｂに連結されるようにして形成されている。また、透孔７４Ａにおいても、枠体部７１の上面から下面にかけて椀状に抉られた凹陥部７４ａが該枠体部７１の下面に形成された孔７４ｂに連結されるようにして形成されている。なお、後述の説明で明らかになるが、第１のコード挿入部７２の透孔７４Ａにおいて椀状に抉られた凹陥部７２ａには右耳用イヤホン３Ｒが嵌挿され、第２のコード挿入部７４の透孔７４Ａにおいて椀状に抉られた凹陥部７２ａには左耳用イヤホン３Ｌが嵌挿されるようになっている（図７参照）。
【００３６】
なお、第１のコード挿入部７２と第２のコード挿入部７４は、たとえば、前記回転軸体６６の中心軸に直交する同一平面上に形成されている。このため、図１２（ａ）に示すように、人形体７０を、クリップ部５２に対し回転軸体６６の周りに図中矢印Ｎ方向に回転させた場合、第１のコード挿入部７２と第２のコード挿入部７４は、人形体７０とともに、同一平面内に回転できるようになっている。
【００３７】
また、クリップ部５２には、たとえば板材５４の上面であって他端Ｂ側の近傍である一部に該板材５４の延在方向と直交する溝部６８が形成されている。この溝部６８は、イヤホンコード２（主コード２Ｓ、第１コード２Ｒ、第２コード２Ｌ）を該溝部６８に挟持させることによってイヤホンコード２を係止させるコード係止部４０として機能できるようになっている。
【００３８】
このように構成されたイヤホンコードクリップ５０は、図１４に示すように、第１のコード挿入部７２と第２のコード挿入部７４のそれぞれに、携帯音響機器にプラグを介して接続されるイヤホンコード２の第１コード２Ｒ、第２コード２Ｌを挿入させることによって、使用されるようになっている。上述したように、第１のコード挿入部７２と第２のコード挿入部７４は、比較的軟質な弾性を有する合成樹脂材で構成されているため、第１のコード挿入部７２の透孔７２Ａに右耳用イヤホン３Ｒを、第２のコード挿入部７４の透孔７４Ａに左耳用イヤホン３Ｌを挿通させることによって、第１のコード挿入部７２と第２のコード挿入部７４のそれぞれに第１コード２Ｒ、第２コード２Ｌを挿入させることができるようになる。
【００３９】
この場合、上述したように、第１のコード挿入部７２における透孔７２Ａ、第２のコード挿入部７４における透孔７４ｂのそれぞれの内径は、右耳用イヤホン３Ｒ、左耳用イヤホン３Ｌの外径よりも若干小さく形成されていることから、イヤホンコード２の第１コード２Ｒ、第２コード２Ｌが、それぞれ、第１のコード挿入部７２、第２のコード挿入部７４の挿入から容易に外れてしまうことを回避することができる。なお、イヤホンコード２にイヤホンコードクリップ５０が取り付けられた携帯音響機器は、該イヤホンコードクリップ５０のクリップ部５２を所持者の衣服の襟元等に挟持させ、右耳および左耳にそれぞれ右耳用イヤホン３Ｒおよび左耳用イヤホン３Ｌを差し込むことによって音楽等を聴くことができるようになっている。
【００４０】
そして、携帯音響機器４の使用を終えた後、図１５に示すように、第１コード２Ｒ、第２コード２Ｌを携帯音響機器側（図中矢印Ｑ方向）へ引っ張ることにより、不使用となった右耳用イヤホン３Ｒ、左耳用イヤホン３Ｌを、それぞれ、イヤホンコードクリップ５０の第１のコード挿入部７２、第２のコード挿入部７４に嵌挿させるようにする。図１７は、図１５のXVII−XVII線における断面図で、右耳用イヤホン３Ｒが枠体部７１の透孔７２Ａのうち椀状に抉られた凹陥部７２ａに嵌挿されているととともに第１コード２Ｒが孔７２ｂから引き出され、左耳用イヤホン３Ｌが、枠体部７１の透孔７４Ａのうち椀状に抉られた凹陥部７４ａに嵌挿されているととともに第２コード２Ｌが孔７４ｂから引き出されるようになっている。この場合、第１のコード挿入部７２と第２のコード挿入部７４は、比較的軟質の弾性を有する合成樹脂材で構成されているため、右耳用イヤホン３Ｒ、左耳用イヤホン３Ｌは、それぞれ、第１のコード挿入部７２と第２のコード挿入部７４から容易に離脱できないようになっている。
【００４１】
このように構成することによって、不使用状態にある右耳用イヤホン３Ｒ、左耳用イヤホン３Ｌを定位置（第１のコード挿入部７２、第２のコード挿入部７４）に保持させておくことができ、次の右耳用イヤホン３Ｒ、左耳用イヤホン３Ｌの使用の際において、これら右耳用イヤホン３Ｒ、左耳用イヤホン３Ｌを、それぞれ、迅速に右耳、左耳に差し込むことができるようになる。
【００４２】
また、携帯音響機器４の不使用状態にある右耳用イヤホン３Ｒ、左耳用イヤホン３Ｌを、それぞれ、第１のコード挿入部７２、第２のコード挿入部７４に嵌挿させておく場合、イヤホンコード２（主コード２Ｓ、第１コード２Ｒ、第２コード２Ｌ）が長くなり過ぎてしまうことがある場合を考慮し、図１６に示すように、たとえば主コード２Ｓをイヤホンコードクリップ５０のクリップ部５２の一部に形成した溝部６８に挟持させるようにすることによって、該溝部６８をコード係止部として機能させるようになっている。
【００４３】
この場合、該溝部６８に挟持させるイヤホンコード２は、主コード２Ｓに限定されることはなく、第１コード２Ｒ、第２コード２Ｌであってもよいことはもちろんである。また、溝部６８にイヤホンコード２を挟持させる場合として、右耳用イヤホン３Ｒ、左耳用イヤホン３Ｌを不使用状態にある場合に限られず、右耳用イヤホン３Ｒ、左耳用イヤホン３Ｌを使用状態にある場合であってもよいことはいうまでもない。なお、この溝部６８は一つに限られることはなく、複数あってもよいことはいうまでもない。
実施形態６に示すイヤホンコードクリップ５０において、上述した実施形態３等を適用させるようにしてもよいことはもちろんである。
【００４４】
なお、図１８は、実施形態６におけるイヤホンコードクリップ５０の外観を示す図である。図１８において、（ａ）は正面図、（ｂ）は平面図、（ｃ）は底面図、（ｄ）は左側面図、（ｅ）は右側面図、（ｆ）は背面図である。
【００４５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００４６】
１……携帯音響機器の所持者、２……イヤホンコード、２Ｓ……主コード、２Ｒ……第１コード、２Ｌ……第２コード、３Ｒ……右耳用イヤホン、３Ｌ……左耳用イヤホン、４……携帯音響機器、５……プラグ、６……コード結合部、１０……イヤホンコードクリップ、２０……クリップ部、２１、２２……板材、２３……軸体、２４……コイルばね、２５……操作部、２６……挟持用舌片、３０……リング部、３０Ｒ……第１リング部、３０Ｌ……第２リング部、３２……切り欠き、３４……重ね部、４０……コード係止部、４１……平板状部材、４２……溝部、５０……イヤホンコードクリップ、５２……クリップ部、５４、５６……板材、５８……軸体、６０……突部、６２……Ｕ字状板ばね、６４……支持体、６４Ａ……凹陥部、６６……回転軸体、６６Ａ……鍔部、６６Ｂ……小径部、６８……溝部、７０……人形体、７１……枠体部、７２……第１のコード挿入部、７２Ａ……透孔、７４……第２のコード挿入部、７４Ａ……透孔。
【図１】
2013034185.tif 000003
【図２】
2013034185.tif 000004
【図３】
2013034185.tif 000005
【図４】
2013034185.tif 000006
【図５】
2013034185.tif 000007
【図６】
2013034185.tif 000008
【図７】
2013034185.tif 000009
【図８】
2013034185.tif 000010
【図９】
2013034185.tif 000011
【図１０】
2013034185.tif 000012
【図１１】
2013034185.tif 000013
【図１２】
2013034185.tif 000014
【図１３】
2013034185.tif 000015
【図１４】
2013034185.tif 000016
【図１５】
2013034185.tif 000017
【図１６】
2013034185.tif 000018
【図１７】
2013034185.tif 000019
【図１８】
2013034185.tif 000020